(57)【要約】【課題】復水器において、冷却水による蒸気の凝縮効率を向上することで装置の大型化を抑制可能とする。【解決手段】中空形状をなして蒸気を含む排気ガスＤの流入口４３とガスＧの排出口４５を有するハウジング３１と、ハウジング３１内に冷却水Ｆを噴射する冷却水噴射ユニット３２と、ハウジング３１の内壁面に衝突した冷却水Ｆを集めて排出口４５に導く冷却水ガイド６１とを設ける。【選択図】図１
2015052443.tif 000002
【特許請求の範囲】
【請求項１】
中空形状をなして蒸気の流入口とガスの排出口を有するハウジングと、
前記ハウジング内に冷却水を噴射する冷却水噴射ユニットと、
前記ハウジングの内壁面に衝突した冷却水を集めて前記排出口に導く冷却水ガイドと、
を有することを特徴とする復水器。
【請求項２】
前記冷却水ガイドは、前記ハウジングの内壁面における前記排出口の両側に所定の傾斜角度をもって固定される一対のガイド部材を有することを特徴とする請求項１に記載の復水器。
【請求項３】
前記排出口の上方に前記冷却水ガイドにより集められる冷却水を一時的に貯留する貯水部が設けられ、前記貯水部は、前記排出口に向けて冷却水を滴下可能であることを特徴とする請求項１または請求項２に記載の復水器。
【請求項４】
前記貯水部は、前記排出口の上端部に配置されて上方が開口する容器であり、底部に貯留する冷却水を滴下可能な多数の小孔が形成されることを特徴とする請求項３に記載の復水器。
【請求項５】
前記貯水部は、前記排出口より所定高さだけ上方に配置されて上方が開口する容器であり、底部に貯留する冷却水を滴下可能な多数の小孔が形成されることを特徴とする請求項３に記載の復水器。
【請求項６】
前記貯水部は、前記ハウジングの内壁面から前記排出口におけるガス排出方向の下流側に延出されることを特徴とする請求項３から請求項５のいずれか一つに記載の復水器。
【請求項７】
前記流入口と前記排出口は、前記ハウジングにおける対向する縦壁部に設けられ、前記冷却水ガイドは、前記排出口が設けられた縦壁部の内壁面に設けられることを特徴とする請求項１から請求項６のいずれか一つに記載の復水器。
【発明の詳細な説明】
【技術分野】
【０００１】
本発明は、発電プラントにおいて、例えば、蒸気タービンで使用した蒸気に直接冷却水を噴射して熱交換を行うことで、この蒸気を冷却凝縮して水に戻す復水器に関するものである。
【背景技術】
【０００２】
地熱を利用した発電プラントは、地中を所定深さまで掘削し、地下深部で蒸気と熱水が高圧下で共存する地熱水を地上へ噴出させ、この地熱水を気水分離器により蒸気と熱水とに分離し、この分離した蒸気によりタービンを駆動回転して発電を行うものが一般的である。このように地熱を利用した発電は、地上で燃料を燃焼させることがないため、ＣＯ２排出量が極めて少なく、環境に優しい発電方式である。
【０００３】
このような地熱発電プラントでは、タービンを駆動回転した使用済の蒸気を復水器を用いて冷却凝縮して水に戻して再利用している。地熱発電プラントで使用される復水器として、直接接触式復水器がある。この直接接触式復水器は、ハウジング内に蒸気を取り入れ、この蒸気に対して多数の噴射ノズルから冷却水を噴射することで、この蒸気を冷却凝縮して水に戻すものである。
【０００４】
なお、従来の直接接触式復水器としては、例えば、下記特許文献に記載されたものがある。
【先行技術文献】
【特許文献】
【０００５】
【特許文献１】実開平０１−１６６２０１号公報
【特許文献２】特開２０１２−１１７７４０号公報
【発明の概要】
【発明が解決しようとする課題】
【０００６】
上述した復水器にあっては、流れる蒸気に対して冷却水を直接噴射して接触させることで冷却凝縮することから、冷却水が蒸気を凝縮するときの凝縮潜熱により温度が上昇する。この場合、少ない冷却水により蒸気を凝縮させるには、冷却水が飽和温度になるまで蒸気を凝縮する必要がある。ところが、従来の復水器にあっては、冷却水が飽和温度になる前にハウジングの内壁面や底面に衝突して凝縮を終えてしまうことから、大量の冷却水を噴射する必要があり、この冷却水を噴射するためのポンプの大型化や多数の供給配管及び噴射ノズルの配置を招くこととなり、装置が大型化してしまうという課題がある。
【０００７】
本発明は、上述した課題を解決するものであり、冷却水による蒸気の凝縮効率を向上することで装置の大型化を抑制可能とする復水器を提供することを目的とする。
【課題を解決するための手段】
【０００８】
上述の目的を達成するための本発明の復水器は、中空形状をなして蒸気の流入口とガスの排出口を有するハウジングと、前記ハウジング内に冷却水を噴射する冷却水噴射ユニットと、前記ハウジングの内壁面に衝突した冷却水を集めて前記排出口に導く冷却水ガイドと、を有することを特徴とするものである。
【０００９】
従って、蒸気は流入口からハウジング内に流入し、冷却水噴射ユニットは、このハウジング内に冷却水を噴射する。すると、ハウジング内を流れる蒸気は、冷却水噴射ユニットから噴射される冷却水に接触して冷却されて凝縮し、水となって落下する一方、蒸気が冷却されたガスは排出口から排出される。このとき、冷却水噴射ユニットから噴射された冷却水の一部は、ハウジングの内壁面に衝突し、この内壁面を伝って流れ落ちる。冷却水ガイドは、このハウジングの内壁面に衝突した冷却水を集めて排出口に導くため、ガスに蒸気が残留していると、このガスが排出口を通過するときに冷却水と接触することで、蒸気が冷却されて凝縮する。その結果、冷却水による蒸気の凝縮効率を向上することで装置の大型化を抑制することができる。
【００１０】
本発明の復水器では、前記冷却水ガイドは、前記ハウジングの内壁面における前記排出口の両側に所定の傾斜角度をもって固定される一対のガイド部材を有することを特徴としている。
【００１１】
従って、冷却水噴射ユニットから噴射された冷却水の一部がハウジングの内壁面に衝突し、冷却水が内壁面を伝って流れ落ちると、一対のガイド部材は、内壁面を伝って流れ落ちる冷却水を受け止め、傾斜により排出口に導くことができ、冷却水を適正に集めて排出口に導くことができる。
【００１２】
本発明の復水器では、前記排出口の上方に前記冷却水ガイドにより集められる冷却水を一時的に貯留する貯水部が設けられ、前記貯水部は、前記排出口に向けて冷却水を滴下可能であることを特徴としている。
【００１３】
従って、冷却水噴射ユニットから噴射された冷却水の一部がハウジングの内壁面に衝突し、冷却水が内壁面を伝って流れ落ちると、冷却水ガイド部材がこの冷却水を受け止めて貯水部に導き、この貯水部から排出口に向けて冷却水を滴下するため、冷却水を排出口の幅方向に対して均一に導くことができる。
【００１４】
本発明の復水器では、前記貯水部は、前記排出口の上端部に配置されて上方が開口する容器であり、底部に貯留する冷却水を滴下可能な多数の小孔が形成されることを特徴としている。
【００１５】
従って、貯水部を上方が開口する容器とし、底部に多数の小孔を形成することで、この貯水部の構成を簡素化して低コスト化を可能とすることができる。
【００１６】
本発明の復水器では、前記貯水部は、前記排出口より所定高さだけ上方に配置されて上方が開口する容器であり、底部に貯留する冷却水を滴下可能な多数の小孔が形成されることを特徴としている。
【００１７】
従って、貯水部を上方が開口する容器とし、底部に多数の小孔を形成することで、この貯水部の構成を簡素化して低コスト化を可能とすることができ、また、貯水部を排出口より上方に配置することで、排出口に対する冷却水の落下高さを確保し、ガスと冷却水を効率良く接触させることができる。
【００１８】
本発明の復水器では、前記貯水部は、前記ハウジングの内壁面から前記排出口におけるガス排出方向の下流側に延出されることを特徴としている。
【００１９】
従って、貯水部がハウジングの内壁面から排出方向の下流側に延出することで、ガスと冷却水との接触時間を長くすることができ、ガスと冷却水を効率良く接触させることができる。
【００２０】
本発明の復水器では、前記流入口と前記排出口は、前記ハウジングにおける対向する縦壁部に設けられ、前記冷却水ガイドは、前記排出口が設けられた縦壁部の内壁面に設けられることを特徴としている。
【００２１】
従って、冷却水噴射ユニットから噴射された冷却水は、ハウジング内を流れる蒸気流により排出口側に押し流され、一部が排出口が設けられた縦壁部の内壁面に衝突するため、冷却水ガイドは、この内壁面を伝って流れ落ちる冷却水を効率良く集めて排出口に導くことができる。
【発明の効果】
【００２２】
本発明の復水器によれば、蒸気の流入口とガスの排出口を有するハウジング内に冷却水を噴射する冷却水噴射ユニットを設けると共に、ハウジングの内壁面に衝突した冷却水を集めて排出口に導く冷却水ガイドを設けるので、冷却水ガイドによりハウジングの内壁面に衝突した冷却水を集めて排出口に導いてガスと接触させることで、冷却水による蒸気の凝縮効率を向上することができ、装置の大型化を抑制することができる。
【図面の簡単な説明】
【００２３】
【図１】図１は、実施例１の復水器を表す側面図である。
【図２】図２は、復水器におけるガス排出口を表す図１のII−II断面図である。
【図３】図３は、復水器の斜視図である。
【図４】図４は、実施例１の復水器が適用された地熱発電プラントの概略構成図である。
【図５】図５は、実施例２の復水器におけるガス排出口を表す断面図である。
【図６】図６は、復水器におけるガス排出口の断面図である。
【図７】図７は、実施例３の復水器におけるガス排出口を表す断面図である。
【図８】図８は、復水器におけるガス排出口の断面図である。
【発明を実施するための形態】
【００２４】
以下に添付図面を参照して、本発明に係る復水器の好適な実施例を詳細に説明する。なお、この実施例により本発明が限定されるものではなく、また、実施例が複数ある場合には、各実施例を組み合わせて構成するものも含むものである。
【実施例１】
【００２５】
図１は、実施例１の復水器を表す側面図、図２は、復水器におけるガス排出口を表す図１のII−II断面図、図３は、復水器の斜視図、図４は、実施例１の復水器が適用された地熱発電プラントの概略構成図である。
【００２６】
実施例１の地熱発電プラントは、図４に示すように、気水分離機１１と、蒸気タービン１２と、発電機１３と、復水器１４と、冷却塔１５と、ガス抽出機１６と、有害物質処理装置１７とを有している。
【００２７】
気水分離機１１は、生産井２１より噴出した蒸気を含む地熱水Ａから蒸気Ｂだけを分離するものであり、蒸気が分離された地熱水Ｃは還元井２２に戻される。蒸気タービン１２は、気水分離器１１により分離された蒸気Ｂによりタービン２６を回転させるものである。発電機１３は、タービン２６の回転軸２７に駆動連結されており、回転力を受けて発電することができる。
【００２８】
復水器１４は、蒸気タービン１２から排出された蒸気Ｂを含む排ガスＤを凝縮して復水（温水）Ｅとするものである。冷却塔１５は、復水器１４により凝縮された復水Ｅを冷却するものである。ここで、復水器１４の復水Ｅは、ポンプ（図示略）により冷却塔１５に送られ、蒸気冷却される。そして、冷却塔１５で冷却された冷却水Ｆは、ポンプ（図示略）により復水器１４に送られ、排ガスＤに対して噴射される。
【００２９】
ガス抽出機１６は、復水器１４から排出されたガスＧから凝縮されない不凝結ガスＨを抽出するものであり、有害物質処理装置１７は、この不凝結ガスＨから硫化水素などの有害物質を処理するものである。そして、処理された不凝結ガスＨは、冷却塔１５を介して大気に放出される。
【００３０】
従って、生産井２１から噴出した蒸気を含む地熱水Ａは、気水分離機１１により蒸気Ｂと地熱水Ｃに分離され、地熱水Ｃが還元井２２に戻される。一方、蒸気Ｂは、蒸気タービン１２に送られ、タービン２６を回転させることで発電機１３により発電する。蒸気タービン１２から排出された排ガスＤは、復水器１４の内部で噴射された冷却水と直接接触することで冷却されて凝縮し、復水（温水）Ｅとなる。復水器１４により凝縮された復水Ｅは、冷却塔１５で冷却される。一方、復水器１４で冷却されたガスＧは、ガス抽出機１６により不凝結ガスＨが抽出され、有害物質処理装置１７により硫化水素などの有害物質が処理された後、冷却塔１５を介して大気に放出される。
【００３１】
ここで、上述した復水器１４について詳細に説明する。図１から図３に示すように、復水器１４は、ハウジング３１と、冷却水噴射ユニット３２とを有している。
【００３２】
ハウジング３１は、中空の箱形形状をなし、内部が連通するガス導入部４１と本体部４２とを有している。ガス導入部４１は、端部に排気ガス（蒸気）Ｄの流入口４３が設けられ、本体部４２は、下部に生成した復水Ｅを貯留する貯留部４４が設けられると共に、端部にガスＧの排出口４５が設けられている。この場合、流入口４３と排出口４５は、ハウジング３１における対向する縦壁部に設けられることとなり、流入口４３から流入した排気ガスＤは、ハウジング３１内をほぼ直線状に通過し、蒸気が除去されたガスＧとして排出口４５から排出される。
【００３３】
また、本体部４２は、内部に冷却水Ｆを噴射する冷却水噴射ユニット３２が設けられている。この冷却水噴射ユニット３２は、鉛直方向に立設された複数の冷却水配管５１と、この冷却水配管５１に設けられた複数の噴射ノズル５２とから構成されている。
【００３４】
なお、図１及び図４に示すように、流入口４３は、蒸気タービン１２からの排気ガス通路が連結され、貯留部４４は、冷却塔１５への復水配管が連結され、排出口４５は、ガス抽出機１６へのガス配管が連結されている。また、各冷却水配管５１は、冷却塔１５からの冷却水配管が連結されている。
【００３５】
そして、実施例１の復水器１４は、図１から図３に示すように、ハウジング３１における本体部４２の内壁面に衝突した冷却水Ｆを集めて排出口４５に導く冷却水ガイド６１が設けられている。この冷却水ガイド６１は、本体部４２の内壁面における排出口４５の両側に所定の傾斜角度をもって固定される一対のガイド部材６２，６３から構成されている。
【００３６】
ハウジング３１は、ガス導入部４１における流入口４３と対向する本体部４２における縦壁部４２ａの下部に排出口４５が形成されている。一対のガイド部材６２，６３は、この排出口４５が設けられた縦壁部４２ａの内壁面から突出するように固定されている。ガイド部材６２，６３は、一端部が排出口４５の上縁部４５ａに連結され、他端部側が鉛直方向における上方に傾斜し、本体部４２における左右の縦壁部４２ｂ，４２ｃに連結されている。
【００３７】
そのため、本体部４２における縦壁部４２ａに接触した冷却水Ｆは、この縦壁部４２ａを伝って流れ落ちるとき、その一部がガイド部材６２，６３により受け止められ、このガイド部材６２，６３に沿って傾斜方向における下方に流れることで、冷却水Ｆを排出口４５に集めることができる。
【００３８】
ここで、実施例１の復水器１４の作用について説明する。
【００３９】
実施例１の復水器１４において、図１及び図２に示すように、蒸気を含む排気ガスＤは、ガス導入部４１における流入口４３からハウジング３１内に流入し、本体部４２に流れ込む。一方、冷却水Ｆは、冷却水噴射ユニット３２に供給され、複数の冷却水配管５１に設けられた各噴射ノズル５２から本体部４２内に噴射される。すると、排気ガスＤに冷却水Ｆが接触し、この排気ガスＤ中の蒸気が冷却されることで凝縮し、復水Ｅになって落下して貯留部４４に貯留される。一方、蒸気が復水Ｅになって除去されたガスＧは、排出口４５から外部に排出される。
【００４０】
このとき、排気ガスＤは、ハウジング３１の流入口４３から入り、ガスＧとなって排出口４５から排出されることから、ハウジング３１の内部に水平な流れが生じる。そのため、冷却水噴射ユニット３２の各噴射ノズル５２から噴射された冷却水Ｆは、水平流れによりその一部が排気ガスＤと接触せずに、未飽和のままで縦壁部４２ａの内壁面に衝突してしまう。ところが、未飽和のまま縦壁部４２ａの内壁面に衝突した冷却水Ｆは、この内壁面を伝って流れ落ち、冷却水ガイド６１を構成する各ガイド部材６２，６３により受け止められる。そして、このガイド部材６２，６３に受け止められた冷却水Ｆは、傾斜方向に流れて排出口４５に集められて落下する。すると、排出口４５を通過するガスＧは、上方から落下する未飽和の冷却水Ｆが接触することとなり、含有する蒸気が冷却されて凝縮し、復水Ｅになって落下する。
【００４１】
このように実施例１の復水器にあっては、中空形状をなして蒸気を含む排気ガスＤの流入口４３とガスＧの排出口４５を有するハウジング３１と、ハウジング３１内に冷却水Ｆを噴射する冷却水噴射ユニット３２と、ハウジング３１の内壁面に衝突した冷却水Ｆを集めて排出口４５に導く冷却水ガイド６１とを設けている。
【００４２】
従って、排気ガスＤは流入口４３からハウジング３１内に流入し、冷却水噴射ユニット３２はこのハウジング３１内に冷却水Ｆを噴射する。すると、ハウジング３１内を流れる排気ガスＤは、冷却水噴射ユニット３２から噴射される冷却水Ｆに接触して冷却されて凝縮し、復水Ｅとなって落下する一方、蒸気が冷却されたガスＧは、排出口４５から外部に排出される。このとき、冷却水噴射ユニット３２から噴射された冷却水Ｆの一部は、ハウジング３１の内壁面に衝突し、この内壁面を伝って流れ落ちる。冷却水ガイド６１は、このハウジング３１の内壁面に衝突した冷却水Ｆを集めて排出口４５に導くため、ガスＧに蒸気が残留していると、このガスＧが排出口４５を通過するときに冷却水Ｆと接触することで、蒸気が冷却されて凝縮する。その結果、冷却水Ｆによる蒸気の凝縮効率を向上することで装置の大型化を抑制することができる。即ち、冷却水噴射ユニット３２における噴射能力を低減することで、ポンプの小型化を可能とすることができる。
【００４３】
実施例１の復水器では、冷却水ガイド６１として、ハウジング３１の内壁面における排出口４５の両側に所定の傾斜角度をもって固定される一対のガイド部材６２，６３を設けている。従って、冷却水噴射ユニット３２から噴射された冷却水Ｆの一部がハウジング３１の内壁面に衝突し、冷却水Ｆが内壁面を伝って流れ落ちると、一対のガイド部材６２，６３は、内壁面を伝って流れ落ちる冷却水Ｆを受け止め、傾斜により排出口４５に導くことができ、冷却水Ｆを適正に集めて排出口４５に導くことができる。
【００４４】
実施例１の復水器では、排出口４５を流入口４３と対向するハウジング３１の縦壁部４２ａに設け、冷却水ガイド６１を排出口４５が設けられた縦壁部４２ａの内壁面に設けている。従って、冷却水噴射ユニット３２から噴射された冷却水Ｆは、ハウジング３１内を流れる排気ガスＤ流により排出口４５側に押し流され、一部が排出口４５が設けられた縦壁部４２ａの内壁面に衝突するため、冷却水ガイド６１はこの内壁面を伝って流れ落ちる冷却水Ｆを効率良く集めて排出口４５に導くことができる。
【実施例２】
【００４５】
図５は、実施例２の復水器におけるガス排出口を表す断面図、図６は、復水器におけるガス排出口の断面図である。なお、本実施例の復水器の基本的な構成は、上述した実施例１とほぼ同様の構成であり、図１を用いて説明すると共に、上述した実施例と同様の機能を有する部材には、同一の符号を付して詳細な説明は省略する。
【００４６】
実施例２において、図１に示すように、復水器１４は、ハウジング３１と、冷却水噴射ユニット３２とを有している。ハウジング３１は、一端部に排気ガス（蒸気）Ｄの流入口４３が設けられ、他端部にガスＧの排出口４５が設けられている。また、ハウジング３１は、内部に冷却水Ｆを噴射する冷却水噴射ユニット３２が設けられており、この冷却水噴射ユニット３２は、複数の冷却水配管５１と複数の噴射ノズル５２とを有している。
【００４７】
そして、復水器１４は、図５及び図６に示すように、ハウジング３１における本体部４２の内壁面に衝突した冷却水Ｆを集めて排出口４５に導く冷却水ガイド６１が設けられている。この冷却水ガイド６１は、本体部４２の内壁面における排出口４５の両側に所定の傾斜角度をもって固定される一対のガイド部材６２，６３から構成されている。
【００４８】
また、排出口４５の上方に、冷却水ガイド６１により集められる冷却水Ｆを一時的に貯留する貯水部７１が設けられ、貯水部７１は、排出口４５に向けて冷却水Ｆを滴下可能となっている。この貯水部７１は、排出口４５の上縁部（上端部）４５ａに配置されて上方が開口する容器である。即ち、貯水部７１は、本体部４２の内側に位置する第１壁部７１ａと、本体部４２の外側に位置する第２壁部７１ｂと、第１壁部７１ａと第２壁部７１ｂとを連結する一対の第３壁部７１ｃ，７１ｄと、底部７１ｅとから構成されている。そして、貯水部７１は、底部７１ｅに貯留する冷却水Ｆを滴下可能な多数の小孔７２が形成されている。
【００４９】
貯水部７１は、排出口４５の上縁部４５ａに配置され、第３壁部７１ｃ，７１ｄが排出口４５における左右の側縁部４５ｂ，４５ｃに固定されている。そして、貯水部７１は、本体部４２の内壁面から排出口４５におけるガス排出方向の下流側に延出されている。即ち、貯水部７１は、第１壁部７１ａが本体部４２の縦壁部４２ａより内側に位置し、第２壁部７１ｂが本体部４２の縦壁部４２ａより外側に位置している。
【００５０】
そのため、本体部４２における縦壁部４２ａに接触した未飽和の冷却水Ｆは、この縦壁部４２ａを伝って流れ落ちるとき、その一部がガイド部材６２，６３により受け止められる。そして、このガイド部材６２，６３に受け止められた冷却水Ｆは、傾斜方向に流れ、貯水部７１に貯留されることで、冷却水Ｆが排出口４５に集められる。貯水部７１に貯留された冷却水Ｆは、多数の小孔７２から排出口４５に滴下する。すると、排出口４５を通過するガスＧは、上方から落下する未飽和の冷却水Ｆが接触することとなり、含有する蒸気が冷却されて凝縮し、復水Ｅになって落下する。
【００５１】
このように実施例２の復水器にあっては、ハウジング３１の内壁面に衝突した冷却水Ｆを集めて排出口４５に導く冷却水ガイド６１と、排出口４５の上方に冷却水ガイド６１により集められる冷却水Ｆを一時的に貯留する貯水部７１とを設け、貯水部７１は排出口４５に向けて冷却水Ｆを滴下可能となっている。
【００５２】
従って、冷却水噴射ユニット３２から噴射された冷却水Ｆの一部は、ハウジング３１の内壁面に衝突し、この内壁面を伝って流れ落ちる。冷却水ガイド６１は、このハウジング３１の内壁面に衝突した冷却水Ｆを集めて貯水部７１に貯留し、貯水部７１は排出口４５に向けて冷却水Ｆを滴下するため、ガスＧに蒸気が残留していると、このガスＧが排出口４５を通過するときに冷却水Ｆと接触することで、蒸気が冷却されて凝縮する。その結果、冷却水Ｆによる蒸気の凝縮効率を向上することで装置の大型化を抑制することができる。
【００５３】
即ち、貯水部７１は、排出口４５の上端部４５ａに配置され、冷却水ガイド６１が集めた冷却水Ｆを貯留し、排出口４５に向けてこの冷却水Ｆを滴下するため、冷却水Ｆを排出口４５の幅方向に対して均一に導くことができ、ガスＧに冷却水Ｆを効率良く接触させることで、冷却水Ｆによる蒸気の凝縮効率を向上することができる。その結果、冷却水噴射ユニット３２における冷却水の噴射量を低減してポンプの小型化を可能とすることができる。
【００５４】
実施例２の復水器では、貯水部７１を排出口４５の上端部に配置して上方が開口する容器とし、底部７１ｅに貯留する冷却水Ｆを滴下可能な多数の小孔７２を形成している。従って、貯水部７１における多数の小孔７２から冷却水Ｆを滴下するため、ガスＧに冷却水Ｆを効率良く接触させることができると共に、貯水部７１の構成を簡素化して低コスト化を図ることができる。
【００５５】
実施例２の復水器では、貯水部７１をハウジング３１の内壁面から排出口４５におけるガス排出方向の下流側に延出している。従って、ガスＧと冷却水Ｆとの接触時間を長くすることができ、ガスＧと冷却水Ｆを効率良く接触させることができる。
【実施例３】
【００５６】
図７は、実施例３の復水器におけるガス排出口を表す断面図、図８は、復水器におけるガス排出口の断面図である。なお、本実施例の復水器の基本的な構成は、上述した実施例１とほぼ同様の構成であり、図１を用いて説明すると共に、上述した実施例と同様の機能を有する部材には、同一の符号を付して詳細な説明は省略する。
【００５７】
実施例３において、図１に示すように、復水器１４は、ハウジング３１と、冷却水噴射ユニット３２とを有している。ハウジング３１は、一端部に排気ガス（蒸気）Ｄの流入口４３が設けられ、他端部にガスＧの排出口４５が設けられている。また、ハウジング３１は、内部に冷却水Ｆを噴射する冷却水噴射ユニット３２が設けられており、この冷却水噴射ユニット３２は、複数の冷却水配管５１と複数の噴射ノズル５２とを有している。
【００５８】
そして、復水器１４は、図７及び図８に示すように、ハウジング３１における本体部４２の内壁面に衝突した冷却水Ｆを集めて排出口４５に導く冷却水ガイド６１が設けられている。この冷却水ガイド６１は、本体部４２の内壁面における排出口４５の両側に所定の傾斜角度をもって固定される一対のガイド部材６２，６３と、本体部４２の内壁面における排出口４５の両側で、且つ、排出口４５より上方に所定の傾斜角度をもって固定される一対のガイド部材６４，６５とから構成されている。この場合、ガイド部材６２，６３とガイド部材６４，６５とはほぼ同様の構成をなし、ガイド部材６２，６３より上方にガイド部材６４，６５が配置されている。
【００５９】
また、排出口４５より所定高さだけ上方に、ガイド部材６４，６５により集められる冷却水Ｆを一時的に貯留する貯水部８１が設けられ、貯水部８１は、排出口４５に向けて冷却水Ｆを滴下可能となっている。この貯水部８１は、排出口４５の上縁部（上端部）４５ａに配置されて上方が開口する容器であり、底部に貯留する冷却水Ｆを滴下可能な多数の小孔８２が形成されている。
【００６０】
本体部４２は、縦壁部４２ａにおける排出口４５より上方にほぼ同じ幅の開口部８３が形成されており、貯水部８１は、この開口部８３に嵌合するように配置され、側壁部が開口部８３における左右の側縁部に固定されている。そして、貯水部８１は、本体部４２の内壁面から排出口４５におけるガス排出方向の上流側に延出されると共に、排出口４５におけるガス排出方向の下流側に延出されている。
【００６１】
そのため、本体部４２における縦壁部４２ａに接触した未飽和の冷却水Ｆは、この縦壁部４２ａを伝って流れ落ちるとき、その一部がガイド部材６４，６５により受け止められる。そして、このガイド部材６４，６５に受け止められた冷却水Ｆは、傾斜方向に流れ、貯水部８１に貯留され、多数の小孔８２から排出口４５に向けて滴下することで、冷却水Ｆが排出口４５に集められる。また、縦壁部４２ａを伝って流れ落ちる冷却水Ｆは、ガイド部材６２，６３により受け止められ、傾斜方向に流れて排出口４５に集められて落下する。すると、排出口４５を通過するガスＧは、上方から落下する未飽和の冷却水Ｆが接触することとなり、含有する蒸気が冷却されて凝縮し、復水Ｅになって落下する。
【００６２】
このように実施例３の復水器にあっては、ハウジング３１の内壁面に衝突した冷却水Ｆを集めて排出口４５に導くガイド部材６２，６３，６４，６５と、排出口４５より所定高さだけ上方にガイド部材６４，６５により集められる冷却水Ｆを一時的に貯留する貯水部８１とを設け、貯水部８１は排出口４５に向けて冷却水Ｆを滴下可能となっている。
【００６３】
従って、冷却水噴射ユニット３２から噴射された冷却水Ｆの一部は、ハウジング３１の内壁面に衝突し、この内壁面を伝って流れ落ちる。ガイド部材６４，６５は、このハウジング３１の内壁面に衝突した冷却水Ｆを集めて貯水部８１に貯留し、貯水部８１は排出口４５に向けて冷却水Ｆを滴下するため、ガスＧに蒸気が残留していると、このガスＧが排出口４５を通過するときに冷却水Ｆと接触することで、蒸気が冷却されて凝縮する。その結果、冷却水Ｆによる蒸気の凝縮効率を向上することで装置の大型化を抑制することができる。
【００６４】
即ち、貯水部８１は、排出口４５より上方に配置され、ガイド部材６４，６５が集めた冷却水Ｆを貯留し、排出口４５に向けてこの冷却水Ｆを滴下する。このとき、貯水部８１から排出口４５に向けて滴下する冷却水Ｆの落下高さが十分に確保されていることから、冷却水Ｆが排出口４５を通過するガスＧに対して効率良く接触させることができ、冷却水Ｆによる蒸気の凝縮効率を向上することができる。
【００６５】
なお、上述した実施例では、ガイド部材６２，６３と貯水部７１、ガイド部材６４，６５と貯水部８１を直接連結するように構成したが、ガイド部材６４，６５と貯水部７１を組み合わせるように構成してもよい。また、貯水部７１，８１は、本体部４２の内壁面から排出口４５におけるガス排出方向の上流側に延出すると共に、排出口４５におけるガス排出方向の下流側に延出するように構成したが、貯水部７１，８１を排出口４５におけるガス排出方向の上流側だけに延出したり、排出口４５におけるガス排出方向の下流側だけに延出したりするように構成してもよい。
【００６６】
また、上述した実施例では、ガイド部材６２，６３，６４，６５を断面が矩形状をなす棒材としたが、断面がＬ字形状をなす棒材とすることで、冷却水Ｆが流れる溝部を構成してもよい。
【００６７】
また、上述した実施例では、ハウジング３１の一端部に流入口４３を設け、他端部に排出口４５を設け、排気ガスＧがハウジング３１内を水平方向に流れるように構成したが、この構成に限定されるものではない。例えば、ハウジングの上部に流入口を設け、側部に排出口を設け、排気ガスがハウジング内を上下方向に流れるように構成してもよい。
【００６８】
また、上述した実施例では、複数の冷却水配管５１をハウジング３１内に鉛直方向に沿って配置し、各冷却水配管５１に設けられた複数の噴射ノズル５２から水平方向に冷却水Ｆを噴射するように構成したが、この構成に限定されるものではない。例えば、複数の冷却水配管をハウジング内に水平方向に沿って配置し、各冷却水配管に設けられた複数の噴射ノズルから鉛直方向に冷却水を噴射するように構成してもよい。
【００６９】
また、上述した実施例では、本発明の復水器を地熱発電プラントで使用される復水器１４に適用したが、ここに限定されるものではなく、原子力発電プラントや火力発電プラントなど、別の発電プラントに適用してもよい。
【符号の説明】
【００７０】
１４  復水器
３１  ハウジング
３２  冷却水噴射ユニット
４３  流入口
４４  貯留部
４５  排出口
５１  冷却水配管
５２  噴射ノズル
６１  冷却水ガイド
６２，６３，６４，６５  ガイド部材
７１，８１  貯水部
７２，８２  小孔
【図１】
2015052443.tif 000003
【図２】
2015052443.tif 000004
【図３】
2015052443.tif 000005
【図４】
2015052443.tif 000006
【図５】
2015052443.tif 000007
【図６】
2015052443.tif 000008
【図７】
2015052443.tif 000009
【図８】
2015052443.tif 000010